(57)【特許請求の範囲】
【請求項１】
導通可能な接触面と本体係止具取付穴とを有する反射板取付部を備える本体と、
導通可能な内壁を有する反射板係止具取付穴を備える反射板と、
上記反射板係止具取付穴に挿入し、上記反射板係止具取付穴の内壁と接触して上記反射板と導通する導通金具と、
上記導電金具が挿入された上記反射板係止具取付穴及び上記本体係止具取付穴に挿入して上記本体と上記反射板とを係止するとともに上記導電金具を上記接触面に接触させる係止具とを有し、
上記係止具は、
上記本体係止具取付穴及び上記反射板係止具取付穴に挿入する係止具軸部と、
上記係止具軸部の一端に形成した本体押さえ部と、
上記係止具軸部の他端に形成した反射板押さえ部とを有し、
上記本体押さえ部と上記反射板押さえ部との間に、上記反射板取付部及び上記反射板を挟持することにより、上記本体と上記反射板とを係止し、
上記導通金具は、
上記反射板押さえ部と上記反射板との間に挟持され、上記係止具軸部を挿入する導通金具開口部を備える導通金具台座部と、
上記導通金具台座部に対して略垂直方向に突設し、上記反射板取付部の接触面及び上記反射板係止具取付穴の内壁と接触する導通金具舌部とを有することを特徴とする照明器具。
【請求項２】
上記導通金具舌部は、
上記反射板係止具取付穴の内壁と接触する反射板接触部と、
上記反射板取付部の接触面と接触する本体接触部と、
上記本体接触部を支持し、上記導通金具台座部に対して略垂直方向から加わる押さえ圧力に対する応力を発するよう湾曲している本体接触支持部とを有することを特徴とする請求項１に記載の照明器具。
【請求項３】
上記導通金具舌部は、
上記反射板係止具取付穴の内壁と接触する反射板接触部と、
上記反射板取付部の接触面と接触する本体接触部と、
上記本体接触部を支持し、上記導通金具台座部に対して略垂直方向から加わる押さえ圧力に対する応力を発するよう外側に湾曲し、上記反射板係止具取付穴に嵌合することにより、上記反射板係止具取付穴から抜け落ちることを防ぐ本体接触支持部とを有することを特徴とする請求項１に記載の照明器具。
【請求項４】
上記導通金具舌部は、
上記反射板係止具取付穴の内壁と接触する反射板接触部と、
上記反射板取付部の接触面と接触する本体接触部と、
上記本体接触部が上記反射板取付部の接触面に略平行になるよう、上記本体接触部を支持する本体接触支持部とを有することを特徴とする請求項１に記載の照明器具。
【請求項５】
上記導通金具は、弾性体であり、
上記導通金具開口部の内周に設けられ、互いに対向する複数の導通金具舌部を有することを特徴とする請求項１に記載の照明器具。
【請求項６】
導通可能な接触面と本体係止具取付穴とを有する反射板取付部を備える本体と、導通可能な内壁を有する反射板係止具取付穴を備える反射板と、上記本体係止具取付穴及び上記反射板係止具取付穴に挿入する係止具軸部と上記係止具軸部の一端に形成した本体押さえ部と上記係止具軸部の他端に形成した反射板押さえ部とを有し上記本体押さえ部と上記反射板押さえ部との間に上記反射板取付部及び上記反射板を挟持することにより上記本体と上記反射板とを係止する係止具とを有する照明器具に使用して、上記本体と上記反射板とを導通する導通金具において、
上記反射板押さえ部と上記反射板との間に挟持され、上記係止具軸部を挿入する導通金具開口部を備える導通金具台座部と、
上記導通金具台座部に対して略垂直方向に突設し、上記反射板係止具取付穴に挿入し、上記反射板取付部の接触面及び上記反射板係止具取付穴の内壁と接触する導通金具舌部とを有することを特徴とする導通金具。
【請求項７】
上記導通金具舌部は、
上記反射板係止具取付穴の内壁と接触する反射板接触部と、
上記反射板取付部の接触面と接触する本体接触部と、
上記本体接触部を支持する本体接触支持部とを有することを特徴とする請求項６に記載の導通金具。
【請求項８】
上記導通金具は、弾性体であり、
上記導通金具開口部の内周に設けられ、互いに対向する複数の導通金具舌部を有することを特徴とする請求項６に記載の導通金具。
【発明の詳細な説明】
【技術分野】
【０００１】
この発明は、照明器具に関する。更に詳しくは、照明器具の反射板を確実に接地する技術に関する。
【背景技術】
【０００２】
蛍光灯点灯装置には、高周波インバータ回路を用いるので、高周波ノイズなどを発生する。
反射板は、照明器具の外部を覆う部分であるから、反射板を接地しておくことにより、高周波ノイズを低減ことができる。
【０００３】
従来、反射板を接地する方式としては、接地されている照明器具本体と反射板との間を配線でつなぐことなどが行われている。
【０００４】
また、反射板を照明器具本体に固定するための取付具を用いて、反射板と照明器具本体との間を電気的に導通させ、反射板を接地する技術もある。
【特許文献１】特開平１１−３０６８４１号公報
【特許文献２】特開２０００−１００２２４号公報
【特許文献３】特開平０７−３０２５０８号公報
【特許文献４】実公昭５９−０２９１３１号公報
【発明の開示】
【発明が解決しようとする課題】
【０００５】
反射板と照明器具本体とを配線でつなぐ方式では、照明器具設置現場における作業量が多くなり、設置コストがかかる。
また、配線を忘れるなどして、反射板が接地されない可能性もある。
【０００６】
取付具を用いて反射板を接地する方式では、手間がかからず、簡単に接地することができるが、確実に接地できるとは限らない。
【０００７】
この発明は、例えば、簡単かつ確実に、反射板と照明器具本体との間を電気的に導通させることを目的とする。
【課題を解決するための手段】
【０００８】
この発明にかかる照明器具は、
導通可能な表面と本体係止具取付穴とを有する反射板取付部を備える本体と、
導通可能な内壁を有する反射板係止具取付穴を備える反射板と、
上記本体係止具取付穴及び上記反射板係止具取付穴に挿入し、上記本体と上記反射板とを係止する係止具と、
上記反射板係止具取付穴に挿入し、上記反射板取付部の表面及び上記反射板係止具取付穴の内壁と接触し、上記本体と上記反射板とを導通する導通金具と、
を有することを特徴とする。
【発明の効果】
【０００９】
この発明によれば、例えば、導通金具が反射板取付架台の表面と接触し、反射板係止具取付穴の内壁と接触して、電気的に導通するので、簡単な作業で、反射板と照明器具本体との間の電気的導通が確実なものになるという効果を奏する。
【発明を実施するための最良の形態】
【００１０】
実施の形態１．
実施の形態１を、図１〜図１１を用いて説明する。
図１は、この実施の形態における照明器具１００の一例を示す全体斜視図である。
【００１１】
照明器具１００は、照明器具本体１１０と照明器具本体１１０に覆い被さるように照明器具本体１１０に取り付けられる反射板１２０とを有する。
【００１２】
照明器具本体１１０（本体）は、蛍光灯（図示しない）を装着するためのソケット１１９、ソケット１１９に接続した蛍光灯を点灯するための蛍光灯点灯装置（図示しない）などを有し、電気的に接地されている。
反射板１２０は、照明器具本体１１０の下面を覆う金属板であり、ソケット１１９に接続した蛍光灯の光を反射するよう、表面が塗装されている。
反射板１２０は、反射板取付具１３０により、照明器具本体１１０に固定されている。
反射板取付具１３０は、係止具の一例であり、「クイックラッチ」「ラッチ」「ターンファスナー」などとも呼ばれる。
【００１３】
図２は、この実施の形態における照明器具１００の一例を分解した一部を示す分解斜視図である。
【００１４】
照明器具本体１１０は、反射板取付部１１１を有する。
反射板取付部１１１は、反射板取付具１３０と嵌合することにより、反射板１２０を照明器具本体１１０に固定するための架台である。
【００１５】
照明器具１００は、反射板取付具１３０と反射板１２０との間に、導通金具１４０を有する。
導通金具１４０は、反射板１２０と照明器具本体１１０との間の電気的接続を確実なものとし、反射板１２０を電気的に接地する役割を果たす。
【００１６】
反射板取付具１３０及び導通金具１４０は、反射板１２０に設けられた反射板係止具取付穴１２１に挿入する。
【００１７】
図３は、この実施の形態における照明器具本体１１０の一例のうち、反射板取付部１１１の部分を拡大した部分斜視図である。
【００１８】
反射板取付部１１１は、接触面１１２を塗装していない金属などの導電性物質であり、電気的に接地されている。
反射板取付部１１１は、本体係止具取付穴１１３を有する。
なお、接触面１１２が塗装されている場合は後述する導通金具１４０の本体接触部１４３が接触面１１２の塗膜を破るようにしてもよい。
【００１９】
本体係止具取付穴１１３は、例えば、照明器具本体１１０の幅手方向に長い長円形の穴であり、反射板取付部１１１を貫通している。
本体係止具取付穴１１３の長手方向の長さＬ１は、反射板取付具１３０の本体押さえ部１３３（後述）の長さ（Ｌ３３）よりも長い。また、本体係止具取付穴１１３の幅手方向の長さＷ１は、Ｌ３３よりも短い。
したがって、反射板取付具１３０の本体押さえ部１３３の長手方向を、本体係止具取付穴１１３の長手方向と揃えれば、反射板取付具１３０の本体押さえ部１３３を、本体係止具取付穴１１３に挿入することができる。挿入後、反射板取付具１３０を９０度回転させれば、本体押さえ部１３３が本体係止具取付穴１１３から抜けなくなるので、反射板１２０を照明器具本体１１０に固定することができる。
【００２０】
反射板取付部１１１は、本体係止具取付穴１１３の縁部が反射板方向にすり鉢状に曲がり、本体係止具受け部１１４を構成している。
【００２１】
図４は、この実施の形態における反射板１２０の一例のうち、反射板係止具取付穴１２１周辺を拡大した部分斜視図である。
【００２２】
反射板係止具取付穴１２１は、例えば、反射板１２０の長手方向に長い長方形と円とを組み合わせた形状である。
反射板係止具取付穴１２１の長手方向の長さＬ２は、反射板取付具１３０の本体押さえ部１３３の長さＬ３３よりも長い。また、反射板係止具取付穴１２１の幅手方向の長さＷ２は、反射板取付具１３０の本体押さえ部１３３の長さＬ３３よりも短い。
また、反射板係止具取付穴１２１の円形部分の直径Ｒ２は、反射板取付具１３０の係止具軸部１３２（後述）の直径Ｒ３２よりも少し長い。
したがって、反射板取付具１３０の本体押さえ部１３３の長手方向を、反射板係止具取付穴１２１の長手方向と揃えれば、反射板取付具１３０の本体押さえ部１３３及び係止具軸部１３２を、反射板係止具取付穴１２１に挿入することができる。挿入後、反射板取付具１３０の係止具軸部１３２が反射板係止具取付穴１２１の円形部分と係合し、軸方向を中心として、反射板取付具１３０を回転することができる。反射板取付具１３０を９０度回転させれば、反射板取付具１３０が反射板係止具取付穴１２１から抜け落ちない。
【００２３】
反射板係止具取付穴１２１の内壁１２２（反射板１２０の断面）は、塗装されておらず、金属がむき出しの状態である。
例えば、反射板１２０の表面を塗装したのちに、打ち抜き加工により反射板係止具取付穴１２１を形成することにより、塗装されていない内壁１２２を有する反射板係止具取付穴１２１を形成することが可能である。
【００２４】
反射板１２０の反射板係止具取付穴１２１の周辺部は、反射板係止具取付穴１２１と中心を共有する円形の平面状になっていて、反射板係止具受け部１２３を形成する。
【００２５】
反射板係止具受け部１２３には、反射板係止具取付穴１２１の中心から、反射板係止具取付穴１２１の幅手方向に、反射板凹部１２５を、左右対称に２つ形成する。
【００２６】
また、反射板係止具受け部１２３には、反射板係止具取付穴１２１の中心から、反射板係止具取付穴１２１の長手方向に対して４５度の方向の等距離に、反射板凸部１２４を４つ形成する。
【００２７】
図５は、この実施の形態における反射板取付具１３０の一例を示す斜視図である。
図６は、図５に示した反射板取付具１３０を反対方向から見た斜視図である。
【００２８】
反射板取付具１３０は、反射板押さえ部１３１、係止具軸部１３２、本体押さえ部１３３を有する。
【００２９】
反射板押さえ部１３１は、反射板係止具取付穴１２１よりも大きく、反射板１２０を照明器具本体１１０に取り付けた状態で、反射板押さえ面１３６が反射板１２０の反射板係止具受け部１２３を押さえて、反射板１２０を照明器具本体１１０に固定する。
【００３０】
反射板押さえ面１３６は、おおむね平らな円状（または楕円状あるいは矩形状）の平面であるが、四隅に反射板押さえ面凹部１３７がある。
反射板押さえ面凹部１３７は、反射板押さえ面１３６よりも一段低くなっており、反射板取付具１３０を反射板１２０に取り付けた状態で、反射板凸部１２４と係合し、反射板取付具１３０を所定の位置に回転させる位置決めである。
【００３１】
反射板押さえ部１３１の下側（反射板１２０と接触せず、取付後、外から見える側）には、係止具操作部１３４がある。係止具操作部１３４を操作することにより、反射板取付具１３０を係止具軸部１３２の軸を中心に回転させることができる。
【００３２】
係止具軸部１３２は、反射板押さえ部１３１の反射板１２０側平面に対して、おおむね垂直に形成された棒状の部分である。
係止具軸部１３２は、反射板係止具取付穴１２１及び本体係止具取付穴１１３に挿入される。
係止具軸部１３２は、根元（反射板押さえ部１３１側）部分の直径Ｒ３２が、先端（本体押さえ部１３３側）部分よりも太い。Ｒ３２は、反射板係止具取付穴１２１の円形部分の直径Ｒ２よりも小さいが、おおむね同程度の大きさであり、反射板係止具取付穴１２１の円形部分を軸受けとして、反射板取付具１３０が係止具軸部１３２の軸方向を中心として回転できる。
【００３３】
係止具軸部１３２から軸方向に対して垂直な方向に係止具翼部１３５を形成する。
係止具翼部１３５は、反射板取付具１３０を反射板１２０の反射板係止具取付穴１２１に挿入後、反射板取付具１３０を回転させて、反射板取付具１３０が反射板１２０から外れないようにするためのものである。係止具翼部１３５がなくとも、本体押さえ部１３３があるので、反射板取付具１３０が反射板１２０から外れないが、本体押さえ部１３３は反射板押さえ面１３６からある程度の高さを有する位置にあるので、遊びができてしまう。そこで、係止具翼部１３５を、反射板押さえ面１３６の近くに形成することにより、反射板取付具１３０が外れそうになるときの遊びをなくしている。
【００３４】
本体押さえ部１３３は、係止具軸部１３２の他端（反射板押さえ部１３１と反対側）に形成され、係止具軸部１３２の軸方向に対して垂直な方向に長い形状を有する。
本体押さえ部１３３の長さＬ３３は、反射板係止具取付穴１２１の長手方向の長さＬ２及び本体係止具取付穴１１３の長手方向の長さＬ１よりも短く、反射板係止具取付穴１２１の幅手方向の長さＷ２及び本体係止具取付穴１１３の幅手方向の長さＷ１よりも長い。
本体押さえ部１３３の内側（本体係止具受け部１１４に接触する側）は、係止具軸部１３２に対して垂直ではなく、所定の角度を有する本体押さえ面１３８を形成する。これにより、反射板取付具１３０を照明器具本体１１０に取り付けた状態で、本体押さえ面１３８が反射板取付部１１１の本体係止具受け部１１４に係合し、反射板１２０と照明器具本体１１０とを、より強く固定することができる。
また、本体押さえ面１３８と係止具軸部１３２との接合点の幅Ｌ３２は、反射板取付部１１１の本体係止具取付穴１１３の幅手方向の長さＷ１よりもわずかに大きくなるように形成する。これにより、反射板取付具１３０を９０度回転させて、固定した際に、係止具軸部１３２と本体係止具取付穴１１３とが係合し、ガタつきの発生を防ぐ。
【００３５】
反射板取付具１３０は、金属で出来た芯の周りに、例えば、インサート成型などによりプラスチックなどの絶縁性物質の部分を形成してある。
反射板押さえ部１３１は、表面が絶縁性物質で出来ており、人間が触っても、感電の危険がないようになっているが、芯には金属部分が係止具軸部１３２に対してＴ字状に形成されており、プラスチックが腐食などにより破壊された場合であっても、反射板１２０を押さえ、反射板１２０が落下するのを防ぐ。
本体押さえ部１３３は、芯の金属部分が露出している。
係止具軸部１３２は、芯の金属が露出している部分と、それを覆う絶縁性物質の部分とが混在している。
【００３６】
図７は、この実施の形態における導通金具１４０の一例を示す斜視図である。
図８は、図７に示した導通金具１４０を反対方向から見た斜視図である。
【００３７】
導通金具１４０は、弾性を有する金属（弾性体の一例）を用いて形成する。
導通金具１４０は、例えば、平面状の金属板に切込を入れ、折り曲げ加工をして形成する。
【００３８】
導通金具１４０は、導通金具台座部１４１、導通金具舌部１４２を有する。
【００３９】
導通金具台座部１４１の形状は、中心点２０１を中心とする直径Ｒ４１の円盤を、中心点２０１を通る中心線２０６に対して対称で互いの距離がＷ４１の平行線で切断した中央部分から、四隅の導通金具切欠部１４８を除いた部分の形状である。
なお、ここで示した導通金具台座部１４１の外形は一例にすぎず、わらじ状、靴底状、楕円状、円状、矩形状であってもかまわない。導通金具台座部１４１の外形は、反射板押さえ面１３６により隠れる形状であれば、どのような形であってもよい。
導通金具台座部１４１の直径Ｒ４１は、反射板係止具取付穴１２１の長手方向の長さＬ２より長い。
【００４０】
導通金具台座部１４１は、４つの導通金具切欠部１４８を有する。
導通金具切欠部１４８は、おおむね半円状の形状を有し、導通金具台座部１４１の四隅に設けられている。導通金具切欠部１４８は、例えば、打ち抜き加工により設ける。
導通金具切欠部１４８の位置は、導通金具１４０を反射板係止具取付穴１２１に挿入したときに、反射板凸部１２４にあたる位置である。
導通金具切欠部１４８は、反射板１２０の反射板凸部１２４と反射板取付具１３０の反射板押さえ面凹部１３７とが係合するのを、導通金具１４０が邪魔しないように設けたものである。
【００４１】
導通金具台座部１４１は、中央に導通金具開口部１４６を有する。
導通金具開口部１４６は、中心点２０１を中心とする円と、中心点２０１を対角線の交点とする長方形とを組み合わせた形状を有する。
導通金具開口部１４６の円形部分の直径Ｒ４６は、反射板係止具取付穴１２１の円形部分の直径Ｒ２とおおむね等しい。
また、導通金具開口部１４６の幅手方向の長さＷ４６は、反射板係止具取付穴１２１の幅手方向の長さＷ２とおおむね等しい。
【００４２】
導通金具舌部１４２は、導通金具台座部１４１に対しておおむね垂直方向に突き出した形に形成する。
導通金具舌部１４２は、導通金具開口部１４６の内周に、互いに向かい合って２つ形成する。
【００４３】
導通金具舌部１４２及び導通金具開口部１４６は、例えば、導通金具台座部１４１を形成する金属板にＮ字状の切り込みを入れて、曲げることにより形成する。
【００４４】
２つの導通金具舌部１４２の間隔（内寸）Ｌ４６は、反射板取付具１３０の本体押さえ部１３３の長さＬ３３よりも長い。
したがって、導通金具１４０を反射板係止具取付穴１２１に挿入した状態でも、反射板取付具１３０を反射板係止具取付穴１２１に挿入することができる。
【００４５】
２つの導通金具舌部１４２の間隔（外寸）Ｌ４５は、反射板係止具取付穴１２１の長手方向の長さＬ２とおおむね等しい。
また、導通金具舌部１４２の根元部分の幅Ｗ４２は、反射板係止具取付穴１２１の幅手方向の長さＷ２より小さい。
したがって、導通金具舌部１４２を反射板係止具取付穴１２１に挿入することができ、導通金具舌部１４２が反射板係止具取付穴１２１にちょうど嵌まることになる。
これにより、導通金具舌部１４２の根元にある反射板接触部１４５が、反射板係止具取付穴１２１の内壁１２２に接触し、導通金具１４０と反射板１２０とが電気的に接続する。
【００４６】
２つの導通金具舌部１４２の間隔（外寸）Ｌ４５を、反射板係止具取付穴１２１の長手方向の長さＬ２よりわずかに大きくしてもよい。導通金具１４０は弾性を有する金属で形成するので、導通金具舌部１４２の間隔（外寸）Ｌ４５がＬ２よりわずかに大きくても、導通金具舌部１４２を変形して反射板係止具取付穴１２１に差し込むことができる。そうすれば、導通金具１４０の復元力により、反射板接触部１４５が反射板係止具取付穴１２１の内壁１２２に押し当てられることとなるので、電気的導通がより確実なものとなり、好ましい。
【００４７】
導通金具舌部１４２は、反射板接触部１４５の先に、本体接触支持部１４４を有し、さらに先端に本体接触部１４３を有する。
【００４８】
本体接触部１４３は、反射板取付部１１１の接触面１１２に接触する。
これにより、導通金具１４０と照明器具本体１１０とが電気的に接続する。
【００４９】
本体接触部１４３は、先端を円弧状に形成する。
これにより、導通金具１４０が多少曲がっていても、本体接触部１４３の一点よりも広い範囲が必ず反射板取付部１１１の表面に接触することとなるので、電気的導通がより確実なものとなる。
【００５０】
本体接触支持部１４４は、途中に、内側方向（対向する他の導通金具舌部１４２がある方向）に曲げた曲げ部があり、曲げ部より先端側で、本体接触部１４３につながる先端部と、曲げ部より根元側で、導通金具抜止部１４７を有する根元部とに分かれている。
【００５１】
本体接触支持部１４４は、力が加わっていない状態で、本体接触部１４３を、導通金具台座部１４１と反射板取付部１１１の接触面１１２との間隔よりもわずかに高い位置に支持する。
すなわち、導通金具台座部１４１から本体接触部１４３までの高さＨ４２は、反射板取付具１３０を照明器具本体１１０に取り付けた状態における反射板押さえ面１３６と反射板取付部１１１の接触面１１２との間の間隔Ｈ３よりもわずかに長い。
【００５２】
使用時には、導通金具１４０は、反射板取付具１３０の反射板押さえ部１３１と、反射板取付部１１１との間に挟まれ、上下から圧迫される。
この力により、本体接触支持部１４４の曲げ部が変形し、本体接触部１４３は、反射板取付部１１１の接触面１１２に接触する。また、本体接触支持部１４４の曲げ部に発生する復元力により、本体接触部１４３が反射板取付部１１１の接触面１１２に押し当てられることとなるので、電気的導通が確実なものとなる。
【００５３】
導通金具抜止部１４７は、本体接触支持部１４４の根元部にコの字状の切り込みを入れ、下（反射板１２０）側が外側に飛び出すように形成する。
これにより、反射板取付具１３０を反射板係止具取付穴１２１に挿入していない状態でも、導通金具１４０は、導通金具抜止部１４７が反射板１２０に引っかかり、導通金具１４０は反射板係止具取付穴１２１から抜け落ちることがない。
【００５４】
なお、導通金具舌部１４２は、導通金具開口部１４６の長手方向内周に設ける。導通金具１４０は、導通金具開口部１４６の長手方向と、反射板係止具取付穴１２１の長手方向が一致する向きに取り付ける。この実施の形態において、反射板係止具取付穴１２１の長手方向と、本体係止具取付穴１１３の長手方向とは、互いに直交する向きに設けてあるので、本体接触部１４３が本体係止具取付穴１１３の位置にくることはなく、確実に反射板取付部１１１の接触面１１２に接触する。
【００５５】
図９は、この実施の形態における照明器具１００の一例のうち、導通金具１４０の使用状態を示す部分正面図である。
なお、使用状態が見えるよう、反射板１２０の記載を省略し、二点鎖線で示す。
【００５６】
図１０は、図９に示す照明器具１００を、照明器具１００の長手方向の対称面で切った断面図である。
【００５７】
反射板取付具１３０は、本体押さえ部１３３を、反射板取付部１１１の本体係止具取付穴１１３に挿入し、回転することにより、本体押さえ部１３３が本体係止具受け部１１４に引っかかり、固定される。
反射板取付具１３０は、係止具軸部１３２が反射板１２０の反射板係止具取付穴１２１及び導通金具１４０の導通金具開口部１４６を貫通し、反射板押さえ部１３１が導通金具１４０の導通金具台座部１４１及び反射板１２０を押さえることにより、反射板１２０及び導通金具１４０も、照明器具本体１１０に固定される。
【００５８】
このとき、導通金具１４０の反射板接触部１４５が反射板係止具取付穴１２１の内壁１２２と接触し、導通金具１４０の本体接触部１４３が反射板取付部１１１の接触面１１２と接触して、電気的に導通するので、反射板１２０と照明器具本体１１０とが電気的に導通する。
【００５９】
図１１は、この実施の形態における照明器具１００を天井などに取り付ける照明器具取付工程の一例を示すフローチャート図である。
なお、照明器具取付工程は、照明器具製造方法の一例である。
【００６０】
Ｓ１１において、照明器具本体１１０を天井などに取り付ける。
【００６１】
Ｓ１２において、照明器具本体１１０を配線し、電気的に接地する。
【００６２】
Ｓ１３において、反射板１２０の反射板係止具取付穴１２１に、導通金具１４０の導通金具舌部１４２を挿入する。
これにより、導通金具１４０の反射板接触部１４５が反射板係止具取付穴１２１の内壁１２２に接触し、導通金具１４０と反射板１２０とが電気的に導通する。
Ｓ１３は、導通金具挿入工程の一例である。
なお、導通金具１４０は、導通金具抜止部１４７の働きにより、反射板１２０から抜け落ちることがない。
【００６３】
Ｓ１４において、反射板１２０の反射板係止具取付穴１２１に、反射板取付具１３０の本体押さえ部１３３（及び係止具軸部１３２）を挿入する。
このとき、反射板係止具取付穴１２１には、既に導通金具１４０が挿入されているので、反射板取付具１３０の本体押さえ部１３３（及び係止具軸部１３２）は、導通金具１４０の導通金具開口部１４６を通る。
これにより、導通金具１４０の導通金具台座部１４１が、反射板１２０と反射板取付具１３０の反射板押さえ部１３１との間に挟持される。
なお、反射板取付具１３０を、係止具軸部１３２の軸方向を中心に９０度回転させることにより、反射板取付具１３０は、反射板係止具取付穴１２１から抜け落ちなくなる。
【００６４】
Ｓ１５において、反射板１２０を照明器具本体１１０に被せる。
このとき、反射板１２０に取り付けた反射板取付具１３０の本体押さえ部１３３が、反射板取付部１１１の本体係止具取付穴１１３に挿入されるようにする。
本体係止具取付穴１１３の長手方向と、反射板係止具取付穴１２１の長手方向とは、互いに９０度ずれた方向を向いているので、反射板取付具１３０が反射板係止具取付穴１２１から抜け落ちないように９０度回転させた状態で、反射板１２０を照明器具本体１１０に被せれば、反射板取付具１３０の本体押さえ部１３３が、反射板取付部１１１の本体係止具取付穴１１３に挿入される。
【００６５】
Ｓ１６において、反射板取付具１３０を、係止具軸部１３２の軸方向を中心にして、９０度回転させる。
これにより、反射板取付具１３０の本体押さえ部１３３が、反射板取付部１１１の本体係止具取付穴１１３に引っかかり、反射板取付具１３０が本体係止具取付穴１１３から抜け落ちないように固定される。また、反射板取付具１３０が固定されることにより、反射板１２０と照明器具本体１１０とが係止され、固定される。
このとき、導通金具１４０の本体接触部１４３は、反射板取付部１１１の接触面１１２に接触し、導通金具１４０と照明器具本体１１０とが電気的に導通する。
導通金具１４０は、Ｓ１３により、反射板１２０とも電気的に導通しているので、これにより、反射板１２０と照明器具本体１１０とが電気的に導通する。
【００６６】
なお、Ｓ１１〜Ｓ１６は係止具挿入工程の一例であり、Ｓ１３、Ｓ１４を工場などの製造工程内で行ってもよく、照明器具設置時にＳ１１→Ｓ１２→Ｓ１５→Ｓ１６の工程を行ってもよい。
【００６７】
この実施の形態における照明器具１００によれば、導通金具１４０が反射板取付部１１１の接触面１１２と接触し、反射板係止具取付穴１２１の内壁１２２と接触して、電気的に導通するので、反射板１２０と照明器具本体１１０との間の電気的導通が確実なものになるという効果を奏する。
【００６８】
この実施の形態における照明器具１００によれば、導通金具１４０の導通金具台座部１４１が反射板取付具１３０の反射板押さえ部１３１と反射板１２０との間に挟持されるので、導通金具１４０が固定され、反射板１２０と照明器具本体１１０との間の電気的導通が確実なものになるという効果を奏する。
【００６９】
この実施の形態における照明器具１００によれば、導通金具１４０の導通金具舌部１４２が、反射板係止具取付穴１２１の塗装されていない内壁１２２と接触して、電気的に導通するので、反射板１２０の塗装を剥がす必要がなく、反射板１２０と照明器具本体１１０との間の電気的導通が確実なものになるという効果を奏する。
また、反射板係止具取付穴１２１の内壁１２２部を導通金具舌部１４２に接触させるので、反射板１２０の塗装の剥離する部分が最小限でよい。
【００７０】
この実施の形態における照明器具１００によれば、導通金具１４０を弾性体によって形成しているので、導通金具１４０の変形に対する復元力により、反射板接触部１４５が反射板係止具取付穴１２１の内壁１２２に押し付けられ、本体接触部１４３が反射板取付部１１１の接触面１１２に押し付けられ、導通金具１４０と反射板１２０及び照明器具本体１１０との間の電気的導通が更に確実なものになるという効果を奏する。
【００７１】
この実施の形態における照明器具１００によれば、導通金具１４０の導通金具舌部１４２が、導通金具開口部１４６の内周に、互いに対向するよう複数設けられているので、導通金具舌部１４２が反射板係止具取付穴１２１に嵌合し、反射板１２０と照明器具本体１１０との間の電気的導通が更に確実なものになるという効果を奏する。
【００７２】
この実施の形態における照明器具１００によれば、導通金具１４０の導通金具舌部１４２の先端に設けられた本体接触部１４３の高さを、反射板取付具１３０の反射板押さえ部１３１と反射板取付部１１１の接触面１１２との間隔よりもわずかに大きくしているので、導通金具１４０が、反射板取付具１３０の反射板押さえ部１３１と反射板取付部１１１の接触面１１２との間に挟まれて圧迫され、導通金具舌部１４２の曲げ部が変形し、復元力を生じるので、本体接触部１４３が反射板取付部１１１の接触面１１２に押し付けられることとなり、反射板１２０と照明器具本体１１０との間の電気的導通が更に確実なものになるという効果を奏する。
【００７３】
この実施の形態における照明器具製造方法によれば、従来の照明器具製造方法と比較して、導通金具挿入工程を追加するだけで、反射板１２０と照明器具本体１１０との間の電気的導通を確実なものにでき、作業コストを削減できるという効果を奏する。
【００７４】
これにより、ランプ点灯装置を有する照明器具本体１１０と反射板１２０を電気的に接続して、反射板１２０をアース接地するとともにノイズ（雑音端子電圧など）の低減を図ることができる。
【００７５】
実施の形態２．
実施の形態２を、図１２〜図２４を用いて説明する。
この実施の形態における照明器具１００は、導通金具１４０の形状を除いて、実施の形態１で説明した照明器具１００と同様であるので、共通する部分については説明を省略する。
【００７６】
図１２は、この実施の形態における導通金具１４０の一例を示す正面図である。
図１３は、図１２に示す導通金具１４０の平面図である。
図１４は、図１２に示す導通金具１４０の右側面図である。
なお、背面図は正面図と同じである。また、左側面図は右側面図と同じである。
図１５は、図１２に示す導通金具１４０の展開図である。
図１６は、図１２に示す導通金具１４０の斜視図である。
図１７は、図１２に示す導通金具１４０を、反射板取付具１３０と組み合わせたところを示す斜視図である。
【００７７】
導通金具１４０は、弾性を有する金属（弾性体の一例）を用いて形成する。
導通金具１４０は、例えば、図１５に示すように、平面状の金属に切込み（切込部２４０）を入れ、折り曲げ加工することにより形成する。
【００７８】
導通金具１４０は、導通金具台座部１４１、導通金具舌部１４２を有する。
【００７９】
導通金具台座部１４１の形状は、中心点２０１を中心とする直径Ｒ４１の円盤を、中心点２０１を通る中心線２０６に対して対称で互いの距離がＷ４１の平行線で切断した中央部分から、四隅の導通金具切欠部１４８を除いた部分の形状である。
導通金具台座部１４１の直径Ｒ４１は、反射板係止具取付穴１２１の長手方向の長さＬ２より長い。
【００８０】
導通金具台座部１４１は、４つの導通金具切欠部１４８を有する。
導通金具切欠部１４８は、中心線２０６と平行な線分と円弧によって囲まれた部分の形状をおおむね有する。
【００８１】
導通金具切欠部１４８は、導通金具台座部１４１の四隅に設けられている。
導通金具切欠部１４８の位置は、導通金具１４０を反射板係止具取付穴１２１に挿入したときに、反射板凸部１２４にあたる位置である。
導通金具切欠部１４８は、反射板１２０の反射板凸部１２４と反射板取付具１３０の反射板押さえ面凹部１３７とが係合するのを、導通金具１４０が邪魔しないように設けたものである。
【００８２】
導通金具台座部１４１は、中央に導通金具開口部１４６を有する。
導通金具開口部１４６は、導通金具台座部１４１に切込み（切込部２４０）を入れて折り曲げることにより、導通金具舌部１４２を形成したあとにできる穴である。
【００８３】
切込部２４０は、中心点２０１に対して対称な形状であり、２つの左根元切込部２４１、２つの右根元切込部２４２、斜切込部２４３、２つの円弧切込部２４４からなる。
左根元切込部２４１、右根元切込部２４２、斜切込部２４３、円弧切込部２４４の幅はおおむね等しい。
【００８４】
左根元切込部２４１は、導通金具台座部１４１の左上および右下に位置し、左切込開始点２５１と左切込屈折部２５３とを結ぶ直線状の切込みである。
右根元切込部２４２は、導通金具台座部１４１の右上および左下に位置し、右切込開始点２５２と右切込屈折部２５４とを結ぶ直線状の切込みである。
【００８５】
左上の左根元切込部２４１と右上の右根元切込部２４２は、一直線上に位置し、その直線は、中心線２０６と平行である。
左切込開始点２５１と右切込開始点２５２とは、中心線２０６に対して対称な位置にある。
左根元切込部２４１のほうが、右根元切込部２４２よりも短い。
【００８６】
斜切込部２４３は、２つの左切込屈折部２５３を結ぶ直線状の切込みであり、中心点２０１を通る。
【００８７】
円弧切込部２４４は、右切込屈折部２５４と切込結合部２５５とを結ぶ円弧状の切込みであり、中心点２０１を中心とする。円弧切込部２４４は、切込結合部２５５で斜切込部２４３とつながっている。円弧切込部２４４は、中心線２０６と交わらない。円弧切込部２４４と中心点２０１との距離（半径）は、左切込開始点２５１及び右切込開始点２５２と中心線２０６との距離よりも大きい。
【００８８】
このような形状の切込部２４０を設けることにより、左根元切込部２４１、斜切込部２４３、円弧切込部２４４、右根元切込部２４２に囲まれた部分が、舌状に残る。この部分を折り曲げ加工することにより、導通金具舌部１４２を形成し、残った穴が導通金具開口部１４６になる。
【００８９】
導通金具舌部１４２は、導通金具台座部１４１に対しておおむね垂直方向に突設している。
導通金具舌部１４２が複数ある場合には、導通金具台座部１４１に対して同一方向に折り曲げる。
【００９０】
導通金具舌部１４２は、導通金具台座部１４１に対しておおむね垂直方向からの圧力に対して応力を発揮するよう、全体がＳ字状に湾曲している。
導通金具舌部１４２の根元付近（導通金具台座部１４１との接合部付近）は、中心軸２０５（中心点２０１を通り、導通金具台座部１４１に垂直な直線）側に膨らんだ円柱側面状の第一湾曲部２３１を形成している。
導通金具舌部１４２の中央付近及び先端付近は、第一湾曲部２３１とは逆に、外側に膨らんだ円柱側面状の第二湾曲部２３２を形成している。
第二湾曲部２３２は、第一湾曲部２３１よりも、湾曲の曲率半径が大きい。
また、第二湾曲部２３２の先端は、導通金具台座部１４１とおおむね平行となる。
【００９１】
導通金具舌部１４２において、第一湾曲部２３１の内側が、反射板係止具取付穴１２１の内壁１２２に接触する反射板接触部１４５である。
また、第二湾曲部２３２の先端付近が、反射板取付部１１１の接触面１１２に接触する本体接触部１４３である。
また、第一湾曲部２３１及び第二湾曲部２３２の全体が、本体接触部１４３を支持する本体接触支持部１４４である。
【００９２】
導通金具舌部１４２は、中心軸２０５を中心として対称に２つ設けられ、互いに対面している。
【００９３】
２つの導通金具舌部１４２の間隔（内寸）Ｌ４６は、反射板取付具１３０の本体押さえ部１３３の長さＬ３３よりも長い。
したがって、導通金具１４０を反射板係止具取付穴１２１に挿入した状態でも、反射板取付具１３０を反射板係止具取付穴１２１に挿入することができる。
【００９４】
なお、本体接触部１４３は側面から見ると左右にずれている。これにより、２つの本体接触部１４３の間隔Ｌ４３が、本体押さえ部１３３の長さＬ３３より短くても、反射板取付具１３０を反射板係止具取付穴１２１に挿入する際に、本体接触部１４３が邪魔になることはない。
【００９５】
図１８は、この実施の形態における照明器具１００を、照明器具１００の長手方向の対称面で切った断面図である。
【００９６】
２つの導通金具舌部１４２の間隔（外寸）Ｌ４５は、反射板係止具取付穴１２１の長手方向の長さＬ２よりわずかに大きい。
また、導通金具舌部１４２の根元部分の幅Ｗ４２は、反射板係止具取付穴１２１の幅手方向の長さＷ２より小さい。
【００９７】
導通金具１４０は弾性を有する金属で形成するので、導通金具舌部１４２の間隔（外寸）Ｌ４５がＬ２よりわずかに大きくても、導通金具舌部１４２を変形して反射板係止具取付穴１２１に差し込むことができる。導通金具１４０の復元力により、反射板接触部１４５が反射板係止具取付穴１２１の内壁１２２に押し当てられる。
これにより、反射板接触部１４５が、反射板係止具取付穴１２１の内壁１２２に接触し、導通金具１４０と反射板１２０とが電気的に導通する。
【００９８】
このとき、反射板接触部１４５は、第一湾曲部２３１の内側にあたり、円弧状に湾曲している。したがって、反射板接触部１４５が平面状である場合と比較して、反射板係止具取付穴１２１の内壁１２２に接触しやすくなるため、導通金具１４０と反射板１２０との間の電気的導通が、より確実なものとなる。
【００９９】
導通金具舌部１４２の高さＨ４２は、反射板取付具１３０を照明器具本体１１０に取り付けた状態における反射板押さえ部１３１と、反射板取付部１１１の接触面１１２との間の間隔Ｈ３よりもわずかに長い。
【０１００】
したがって、使用時には、導通金具１４０は、反射板取付具１３０の反射板押さえ部１３１と、反射板取付部１１１との間に挟まれ、上下から圧迫される。
この力により、第二湾曲部２３２が変形し、本体接触部１４３は、反射板取付部１１１の接触面１１２に接触する。また、第二湾曲部２３２に発生する復元力により、本体接触部１４３が反射板取付部１１１の接触面１１２に押し当てられることとなる。これにより、導通金具１４０と照明器具本体１１０との間の電気的導通が確実なものとなる。
【０１０１】
また、第二湾曲部２３２の湾曲により、本体接触部１４３は、反射板取付部１１１の接触面１１２とおおむね平行になっているので、本体接触部１４３と反射板取付部１１１の表面とが接触する範囲は、面状の広がりを持つこととなる。これにより、導通金具１４０と照明器具本体１１０との間の電気的導通がより確実なものとなる。
【０１０２】
本体接触支持部１４４はＳ字状に湾曲しており、第二湾曲部２３２のうち、中心軸２０５から最も離れた部分は、反射板接触部１４５よりも外側に位置する。
したがって、反射板取付具１３０を反射板係止具取付穴１２１に挿入していない状態でも、導通金具１４０は、本体接触支持部１４４が反射板１２０に引っかかり、導通金具１４０は反射板係止具取付穴１２１から抜け落ちることがない。
【０１０３】
反射板接触部１４５には、反射板１２０からの力が加わるので、導通金具舌部１４２の根元を支点として、導通金具舌部１４２を内側に倒そうとする力が働く。
また、本体接触部１４３には、反射板取付部１１１からの力が加わり、第二湾曲部２３２の変形によって吸収されるので、導通金具舌部１４２を外側に倒そうとする力となる。
導通金具舌部１４２にはこの２つの力が加わり、２つの力が均衡する。
これにより、導通金具舌部１４２が不可逆的に変形してしまうことがなく、反射板１２０と照明器具本体１１０との間の電気的導通がより確実なものとなる。
【０１０４】
この実施の形態における照明器具１００によれば、導通金具舌部１４２（本体接触支持部１４４）がＳ字状に湾曲し、垂直方向からの押さえ圧力に対する応力を発生するので、力が分散され、導通金具舌部１４２が不可逆的に変形してしまうことがない。これにより、反射板１２０と照明器具本体１１０との間の電気的導通が確実なものになるという効果を奏する。
【０１０５】
この実施の形態における照明器具１００によれば、導通金具舌部１４２が外側に湾曲しているので、導通金具１４０を反射板係止具取付穴１２１に挿入し、反射板取付具１３０を取り付けていない状態であっても、導通金具１４０が反射板係止具取付穴１２１から抜け落ちることがないという効果を奏する。
【０１０６】
この実施の形態における照明器具１００によれば、本体接触部１４３が、反射板取付部１１１の表面とおおむね平行になるよう、本体接触支持部１４４が本体接触部１４３を支持するので、本体接触部１４３と反射板取付部１１１の接触面１１２とが面状の広がりを持って接触し、導通金具１４０と照明器具本体１１０との間の電気的導通が確実なものになるという効果を奏する。
【０１０７】
なお、ここで説明した導通金具１４０の形状は一例に過ぎない。
例えば、以下のような形状の導通金具であってもよい。
【０１０８】
図１９は、この実施の形態における導通金具１４０の形状の別の例を示す斜視図である。
図２０は、図１９に示す導通金具１４０を、反射板取付具１３０と組み合わせたところを示す斜視図である。
【０１０９】
この導通金具１４０は、図１２〜図１８に示した導通金具１４０と比較して、導通金具切欠部１４８の代わりに導通金具凹部１４９を有する点が異なっている。
【０１１０】
導通金具凹部１４９は、平面状の導通金具台座部１４１を、例えば、プレス成型などにより形成するものであり、導通金具舌部１４２が形成されている側と反対側に出っ張っている。
導通金具凹部１４９は、導通金具１４０を反射板係止具取付穴１２１に挿入したときに、反射板１２０の反射板凸部１２４（図４参照）にあたる位置にある。
これにより、導通金具凹部１４９は、反射板凸部１２４に係合し、また、裏側の凸部が反射板押さえ面凹部１３７と係合する。
【０１１１】
したがって、反射板凸部１２４と反射板押さえ面凹部１３７とが直接係合する場合と同様の結果となる。
【０１１２】
図２１は、この実施の形態における導通金具１４０の形状の更に別の例を示す斜視図である。
このように、導通金具舌部１４２は、２つに限らず、１つであってもよい。
また、このように、導通金具開口部１４６が閉じた穴でなくてもよい。
【０１１３】
図２２は、この実施の形態における導通金具１４０の形状の更に別の例を示す斜視図である。
このように、導通金具舌部１４２は、３つ以上であってもよい。
また、このように、導通金具舌部１４２は、導通金具開口部１４６の長手方向ではなく、幅手方向に折り曲げた形状であってもよい。
【０１１４】
図２３は、この実施の形態における導通金具１４０の形状の更に別の例を示す斜視図である。
このように、導通金具台座部１４１は、なくてもよい。
【０１１５】
図２４は、この実施の形態における導通金具１４０の形状の更に別の例を示す斜視図である。
このように、導通金具舌部１４２は、両端を導通金具台座部１４１に接続していてもよい。
また、このように、導通金具台座部１４１は、２つ以上の部分に分かれていてもよい。
【０１１６】
図２５は、この実施の形態における導通金具１４０の形状の更に別の例を示す斜視図である。
このように、導通金具１４０は、板状の金属を加工して形成するのではなく、針金状の金属を加工して形成してもよい。
【図面の簡単な説明】
【０１１７】
【図１】実施の形態１における照明器具１００の一例を示す全体斜視図。
【図２】実施の形態１における照明器具１００の一例を分解した一部を示す分解斜視図。
【図３】実施の形態１における照明器具本体１１０の一例のうち、反射板取付部１１１の部分を拡大した部分斜視図。
【図４】実施の形態１における反射板１２０の一例のうち、反射板係止具取付穴１２１周辺を拡大した部分斜視図。
【図５】実施の形態１における反射板取付具１３０の一例を示す斜視図。
【図６】図５に示した反射板取付具１３０を反対方向から見た斜視図。
【図７】実施の形態１における導通金具１４０の一例を示す斜視図。
【図８】図７に示した導通金具１４０を反対方向から見た斜視図。
【図９】実施の形態１における照明器具１００の一例のうち、導通金具１４０の使用状態を示す部分正面図。
【図１０】図９に示す照明器具１００を、照明器具１００の長手方向の対称面で切った断面図。
【図１１】実施の形態１における照明器具１００を天井などに取り付ける照明器具取付工程の一例を示すフローチャート図。
【図１２】実施の形態２における導通金具１４０の一例を示す正面図。
【図１３】図１２に示す導通金具１４０の平面図。
【図１４】図１２に示す導通金具１４０の右側面図。
【図１５】図１２に示す導通金具１４０の展開図。
【図１６】図１２に示す導通金具１４０の斜視図。
【図１７】図１２に示す導通金具１４０を、反射板取付具１３０と組み合わせたところを示す斜視図。
【図１８】実施の形態２における照明器具１００を、照明器具１００の長手方向の対称面で切った断面図。
【図１９】実施の形態２における導通金具１４０の形状の別の例を示す斜視図。
【図２０】図１９に示す導通金具１４０を、反射板取付具１３０と組み合わせたところを示す斜視図。
【図２１】実施の形態２における導通金具１４０の形状の更に別の例を示す斜視図。
【図２２】実施の形態２における導通金具１４０の形状の更に別の例を示す斜視図。
【図２３】実施の形態２における導通金具１４０の形状の更に別の例を示す斜視図。
【図２４】実施の形態２における導通金具１４０の形状の更に別の例を示す斜視図。
【図２５】実施の形態２における導通金具１４０の形状の更に別の例を示す斜視図。
【符号の説明】
【０１１８】
１００  照明器具、１１０  照明器具本体、１１１  反射板取付部、１１２  接触面、１１３  本体係止具取付穴、１１４  本体係止具受け部、１１９  ソケット、１２０  反射板、１２１  反射板係止具取付穴、１２２  内壁、１２３  反射板係止具受け部、１２４  反射板凸部、１２５  反射板凹部、１３０  反射板取付具、１３１  反射板押さえ部、１３２  係止具軸部、１３３  本体押さえ部、１３４  係止具操作部、１３５  係止具翼部、１３６  反射板押さえ面、１３７  反射板押さえ面凹部、１３８  本体押さえ面、１４０  導通金具、１４１  導通金具台座部、１４２  導通金具舌部、１４３  本体接触部、１４４  本体接触支持部、１４５  反射板接触部、１４６  導通金具開口部、１４７  導通金具抜止部、１４８  導通金具切欠部、１４９  導通金具凹部、２０１  中心点、２０５  中心軸、２０６  中心線、２３１  第一湾曲部、２３２  第二湾曲部、２４１  左根元切込部、２４２  右根元切込部、２４３  斜切込部、２４４  円弧切込部、２５１  左切込開始点、２５２  右切込開始点、２５３  左切込屈折部、２５４  右切込屈折部、２５５  切込結合部。
【図１】
0004575301.tif 000002
【図２】
0004575301.tif 000003
【図３】
0004575301.tif 000004
【図４】
0004575301.tif 000005
【図５】
0004575301.tif 000006
【図６】
0004575301.tif 000007
【図７】
0004575301.tif 000008
【図８】
0004575301.tif 000009
【図９】
0004575301.tif 000010
【図１０】
0004575301.tif 000011
【図１１】
0004575301.tif 000012
【図１２】
0004575301.tif 000013
【図１３】
0004575301.tif 000014
【図１４】
0004575301.tif 000015
【図１５】
0004575301.tif 000016
【図１６】
0004575301.tif 000017
【図１７】
0004575301.tif 000018
【図１８】
0004575301.tif 000019
【図１９】
0004575301.tif 000020
【図２０】
0004575301.tif 000021
【図２１】
0004575301.tif 000022
【図２２】
0004575301.tif 000023
【図２３】
0004575301.tif 000024
【図２４】
0004575301.tif 000025
【図２５】
0004575301.tif 000026